(57)【要約】【課題】燃料電池を長寿命化し、高効率で運転する。【解決手段】（ａ）１以上のセルを含む燃料電池を、出力電流ＰＩの設定値Ａ（ｋ）を電流値Ａ（ｉ）に設定して起動する工程、（ｂ）燃料電池の出力電圧ＰＶを検出する工程、（ｃ）出力電圧ＰＶが第１基準値Ｖ１以下であれば、燃料電池の運転を停止し、設定値Ａ（ｋ）を電流値Ａ（ｉ−１）に設定して、燃料電池を起動する工程、（ｄ）工程（ｃ）で燃料電池を起動してから第１時間ＴＭ１が経過するまでの第１期間の出力電圧ＰＶの平均値ＡＰＶを算出する工程、（ｅ）工程（ｄ）で算出した平均値ＡＰＶを第１基準値Ｖ１および第１基準値Ｖ１よりも大きい第２基準値Ｖ２と比較する工程、および（ｆ）工程（ｅ）の比較結果で平均値ＡＰＶが第２基準値Ｖ２以上であれば、燃料電池の運転を停止し、設定値Ａ（ｋ）を電流値Ａ（ｉ）に再設定して、燃料電池を起動する工程、を具備する燃料電池システムの制御方法。【選択図】図３
2015204156.tif 000002
【特許請求の範囲】
【請求項１】
（ａ）１以上のセルを含む燃料電池を、出力電流ＰＩの設定値Ａ（ｋ）を電流値Ａ（ｉ）に設定して起動する工程、ただしｋ＝１、２、…、ｉ、…、ｎであり、ｉおよびｎは２以上であり、Ａ（ｋ）＜Ａ（ｋ＋１）である、
（ｂ）前記燃料電池の出力電圧ＰＶを検出する工程、
（ｃ）前記出力電圧ＰＶが第１基準値Ｖ１以下であれば、前記燃料電池の運転を停止し、前記設定値Ａ（ｋ）を電流値Ａ（ｉ−１）に設定して、前記燃料電池を起動する工程、
（ｄ）前記工程（ｃ）で前記燃料電池を起動してから第１時間ＴＭ１が経過するまでの第１期間の前記出力電圧ＰＶの平均値ＡＰＶを算出する工程、
（ｅ）前記工程（ｄ）で算出した前記平均値ＡＰＶを前記第１基準値Ｖ１および前記第１基準値Ｖ１よりも大きい第２基準値Ｖ２と比較する工程、および
（ｆ）前記工程（ｅ）の比較結果で前記平均値ＡＰＶが前記第２基準値Ｖ２以上であれば、前記燃料電池の運転を停止し、前記設定値Ａ（ｋ）を前記電流値Ａ（ｉ）に再設定して、前記燃料電池を起動する工程、を具備する燃料電池システムの制御方法。
【請求項２】
前記工程（ｅ）の比較結果で前記平均値ＡＰＶが前記第１基準値Ｖ１よりも大きく且つ前記第２基準値Ｖ２よりも小さければ、前記設定値Ａ（ｋ）を前記電流値Ａ（ｉ−１）に維持したままで前記燃料電池の運転を継続する、請求項１に記載の燃料電池システムの制御方法。
【請求項３】
ｉおよびｎが３以上であり、前記工程（ｅ）の比較結果で前記平均値ＡＰＶが前記第１基準値Ｖ１以下であれば、前記燃料電池の運転を停止し、前記設定値Ａ（ｋ）を電流値Ａ（ｉ−２）に設定して、前記燃料電池を起動する、請求項１または２に記載の燃料電池システムの制御方法。
【請求項４】
（ａ）１以上のセルを含む燃料電池を、出力電流ＰＩの設定値Ａ（ｋ）を電流値Ａ（ｉ）に設定して起動する工程、ただしｋ＝１、２、…、ｉ、…、ｎであり、ｎは３以上であり、ｉは２以上且つ（ｎ−１）以下であり、Ａ（ｋ）＜Ａ（ｋ＋１）である、
（ｂ）前記燃料電池の出力電圧ＰＶを検出する工程、
（ｃ）前記燃料電池を起動してから第１時間ＴＭ１が経過するまでの第１期間の前記出力電圧ＰＶの平均値ＡＰＶを算出する工程、
（ｄ）前記第１期間が終了してから第２時間ＴＭ２が経過するまでの第２期間、前記設定値Ａ（ｋ）を維持したまま前記燃料電池の運転を継続し、その後、前記燃料電池の運転を停止する工程、
（ｅ）前記工程（ｃ）で算出した前記平均値ＡＰＶを第１基準値Ｖ１および前記第１基準値Ｖ１よりも大きい第２基準値Ｖ２と比較する工程、
（ｆ）前記工程（ｅ）の比較結果で、
前記平均値ＡＰＶが前記第２基準値Ｖ２以上であれば、前記第２期間の終了後に前記設定値Ａ（ｋ）を電流値Ａ（ｉ＋１）に設定し、
前記平均値ＡＰＶが前記第１基準値Ｖ１以下であれば、前記第２期間の終了後に前記設定値Ａ（ｋ）を電流値Ａ（ｉ−１）に設定し、
前記平均値ＡＰＶが前記第１基準値Ｖ１よりも大きく且つ前記第２基準値Ｖ２よりも小さければ、前記第２期間の終了後も前記設定値Ａ（ｋ）を前記電流値Ａ（ｉ）のまま維持する工程、および
（ｇ）前記工程（ｆ）で設定された前記設定値Ａ（ｋ）により、前記工程（ｄ）で運転を停止した前記燃料電池を起動する工程、を具備する燃料電池システムの制御方法。
【請求項５】
ｎが４以上であり、ｉが３以上且つ（ｎ−１）以下であり、
（ｈ）前記出力電圧ＰＶを前記第１基準値Ｖ１よりも小さい第３基準値Ｖ３と比較する工程、
（ｊ）前記工程（ｈ）の比較結果で前記出力電圧ＰＶが前記第３基準値Ｖ３以下であるときに前記燃料電池の運転を停止する工程、
（ｍ）前記工程（ｊ）で前記燃料電池の運転を停止したときに、前記設定値Ａ（ｋ）が前記電流値Ａ（ｉ＋１）に設定されていれば前記設定値Ａ（ｋ）を前記電流値Ａ（ｉ）に設定し、前記設定値Ａ（ｋ）が前記電流値Ａ（ｉ）に設定されていれば前記設定値Ａ（ｋ）を前記電流値Ａ（ｉ−１）に設定し、前記設定値Ａ（ｋ）が前記電流値Ａ（ｉ−１）に設定されていれば前記設定値Ａ（ｋ）を電流値Ａ（ｉ−２）に設定する工程、および
（ｏ）前記工程（ｍ）で設定された前記設定値Ａ（ｋ）により前記燃料電池を起動する工程、をさらに具備する請求項４に記載の燃料電池システムの制御方法。
【請求項６】
前記工程（ｃ）で、前記燃料電池をリフレッシュさせるのに十分な第３時間ＴＭ３だけ前記燃料電池の運転を停止する、請求項１〜３のいずれか１項に記載の燃料電池システムの制御方法。
【請求項７】
前記工程（ｃ）で、前記出力電圧ＰＶが前記第１基準値よりも小さい第４基準値Ｖ４以下になるまで前記燃料電池の運転を停止する、請求項１〜３のいずれか１項に記載の燃料電池システムの制御方法。
【請求項８】
前記工程（ｇ）で、前記燃料電池をリフレッシュさせるのに十分な第３時間ＴＭ３だけ前記燃料電池の運転を停止してから前記燃料電池を起動する、請求項４または５に記載の燃料電池システムの制御方法。
【請求項９】
前記工程（ｇ）で、前記出力電圧ＰＶが前記第１基準値よりも小さい第４基準値Ｖ４以下に低下してから前記燃料電池を起動する、請求項４または５に記載の燃料電池システムの制御方法。
【請求項１０】
前記第１基準値Ｖ１が１セルあたりで０．２５〜０．３７５Ｖであり、前記第２基準値Ｖ２が１セルあたりで０．３５〜０．４５Ｖである、請求項１〜９のいずれか１項に記載の燃料電池システムの制御方法。
【請求項１１】
前記第３基準値Ｖ３が１セルあたりで０．２〜０．３Ｖである、請求項５記載の燃料電池システムの制御方法。
【請求項１２】
前記第４基準値Ｖ４が１セルあたりで０．１８〜０．２２Ｖである、請求項７または９に記載の燃料電池システムの制御方法。
【請求項１３】
前記第１時間ＴＭ１が１〜６０分である、請求項１〜１２のいずれか１項に記載の燃料電池システムの制御方法。
【請求項１４】
前記第２時間ＴＭ２が１〜１２０分である、請求項４、５および８〜１３のいずれか１項に記載の燃料電池システムの制御方法。
【請求項１５】
前記第３時間ＴＭ３が１０秒〜５分である、請求項６または８に記載の燃料電池システムの制御方法。
【請求項１６】
前記燃料電池に対する燃料供給量ＦＱおよび酸化剤供給量ＡＱの少なくとも一方を、前記設定値Ａ（ｋ）に応じて設定する、請求項１〜１５のいずれか１項に記載の燃料電池システムの制御方法。
【請求項１７】
１以上のセルを含む燃料電池と、
前記燃料電池に燃料を供給する燃料供給部と、
前記燃料電池に酸化剤を供給する酸化剤供給部と、
前記燃料電池の出力電圧ＰＩを検出する電流センサと、
前記燃料電池の出力電圧ＰＶを検出する電圧センサと、
前記出力電流ＰＩおよび前記出力電圧ＰＶを調節するように、前記出力電圧ＰＶを変圧して、前記燃料電池の発電電力を出力する変圧部と、
前記燃料供給部、前記酸化剤供給部および前記変圧部を制御する制御部と、を具備し、
前記制御部は、
（ａ）前記燃料電池を、前記出力電流ＰＩの設定値Ａ（ｋ）を電流値Ａ（ｉ）に設定して起動する工程、ただしｋ＝１、２、…、ｉ、…、ｎであり、ｉおよびｎは２以上であり、Ａ（ｋ）＜Ａ（ｋ＋１）であり、
（ｂ）前記燃料電池の前記出力電圧ＰＶを前記電圧センサにより検出する工程、
（ｃ）前記出力電圧ＰＶが第１基準値Ｖ１以下であれば、前記燃料電池の運転を停止し、前記設定値Ａ（ｋ）を電流値Ａ（ｉ−１）に設定して、前記燃料電池を起動する工程、
（ｄ）前記工程（ｃ）で前記燃料電池を起動してから第１時間ＴＭ１が経過するまでの第１期間の前記出力電圧ＰＶの平均値ＡＰＶを算出する工程、
（ｅ）前記工程（ｄ）で算出した前記平均値ＡＰＶを前記第１基準値Ｖ１および前記第１基準値Ｖ１よりも大きい第２基準値Ｖ２と比較する工程、および
（ｆ）前記工程（ｅ）の比較結果で前記平均値ＡＰＶが前記第２基準値Ｖ２以上であれば、前記燃料電池の運転を停止し、前記設定値Ａ（ｋ）を前記電流値Ａ（ｉ）に再設定して、前記燃料電池を起動する工程、を含む処理を行う、燃料電池システム。
【請求項１８】
１以上のセルを含む燃料電池と、
前記燃料電池に燃料を供給する燃料供給部と、
前記燃料電池に酸化剤を供給する酸化剤供給部と、
前記燃料電池の出力電圧ＰＩを検出する電流センサと、
前記燃料電池の出力電圧ＰＶを検出する電圧センサと、
前記出力電流ＰＩおよび前記出力電圧ＰＶを調節するように、前記出力電圧ＰＶを変圧して、前記燃料電池の発電電力を出力する変圧部と、
前記燃料供給部、前記酸化剤供給部および前記変圧部を制御する制御部と、を具備し、
前記制御部は、
（ａ）前記燃料電池を、前記出力電流ＰＩの設定値Ａ（ｋ）を電流値Ａ（ｉ）に設定して起動する工程、ただしｋ＝１、２、…、ｉ、…、ｎであり、ｎは３以上であり、ｉは２以上且つ（ｎ−１）以下であり、Ａ（ｋ）＜Ａ（ｋ＋１）である、
（ｂ）前記燃料電池の前記出力電圧ＰＶを前記電圧センサにより検出する工程、
（ｃ）前記燃料電池を起動してから第１時間ＴＭ１が経過するまでの第１期間の前記出力電圧ＰＶの平均値ＡＰＶを算出する工程、
（ｄ）前記第１期間が終了してから第２時間ＴＭ２が経過するまでの第２期間、前記設定値Ａ（ｋ）を維持したまま前記燃料電池の運転を継続し、その後、前記燃料電池の運転を停止する工程、
（ｅ）前記工程（ｃ）で算出した前記平均値ＡＰＶを第１基準値Ｖ１および前記第１基準値Ｖ１よりも大きい第２基準値Ｖ２と比較する工程、
（ｆ）前記工程（ｅ）の比較結果で、
前記平均値ＡＰＶが前記第２基準値Ｖ２以上であれば、前記第２期間の終了後に前記設定値Ａ（ｋ）を電流値Ａ（ｉ＋１）に設定し、
前記平均値ＡＰＶが前記第１基準値Ｖ１以下であれば、前記第２期間の終了後に前記設定値Ａ（ｋ）を電流値Ａ（ｉ−１）に設定し、
前記平均値ＡＰＶが前記第１基準値Ｖ１よりも大きく且つ前記第２基準値Ｖ２よりも小さければ、前記第２期間の終了後も前記設定値Ａ（ｋ）を前記電流値Ａ（ｉ）のまま維持する工程、および
（ｇ）前記工程（ｆ）で設定された前記設定値Ａ（ｋ）により、前記工程（ｄ）で運転が停止された前記燃料電池を起動する工程、を含む処理を行う、燃料電池システム。
【発明の詳細な説明】
【技術分野】
【０００１】
本発明は、燃料電池システムに関し、特に発電装置として好適に使用することができる燃料電池システム、およびその制御方法に関する。
【背景技術】
【０００２】
携帯電話、ノートＰＣ、デジタルカメラ等のモバイル機器の高性能化に伴い、その電源として、高分子電解質膜を用いた高分子電解質型燃料電池が期待されている。高分子電解質型燃料電池の中でも、メタノールなどの液体燃料を直接アノードへ供給する直接酸化型燃料電池は、小型軽量化に適している。このため、モバイル機器用電源やポータブル発電機として開発が進められている。
【０００３】
燃料電池は、発電効率が高く、一般的な発電機に比べて騒音や振動も少ない。このため、静音性が求められる民生用の中型の電源装置のエネルギ源としても期待されている。例えば、アウトドア・アクティビティ用の電源装置に燃料電池を使用することが検討されている。燃料電池は、発電効率が高いことから、携行すべき燃料量を最小限度に抑えることができる。また、発電時の騒音が小さいことから、住宅地に近い地域で夜間に使用することもできる。
【０００４】
しかしながら、燃料電池は、定電流制御や定電力制御で連続運転すると、徐々に電圧が低下する傾向が見られる。その要因は様々であるが（特許文献１参照）、その一つとして、燃料電池内の酸化剤流路（空気流路）に発電による生成水が溜まることで、流路抵抗が大きくなり、酸化剤供給量が低下することが考えられる。したがって、燃料電池は、発電開始からある程度の時間が経過したときに一旦運転を止めて、酸化剤流路の目詰まりなどを解消するリセット動作を実行することが望ましい。
【先行技術文献】
【特許文献】
【０００５】
【特許文献１】特開２００７−２８０７４１号公報
【発明の概要】
【発明が解決しようとする課題】
【０００６】
特許文献１では、燃料電池の連続運転中に出力電圧が低下したときに、燃料電池の出力電流を小さくすることで、出力の回復を図っている。しかしながら、特許文献１が提案する方法は、燃料電池の出力電流を小さくすることで出力が復帰することを前提としている。このため、出力が復帰しない場合には、特許文献１の方法では、燃料電池の運転を継続できないか、または、セルの劣化を促進してしまうことがあり得る。
【課題を解決するための手段】
【０００７】
本発明の一局面は、
（ａ）１以上のセルを含む燃料電池を、出力電流ＰＩの設定値Ａ（ｋ）を電流値Ａ（ｉ）に設定して起動する工程、ただしｋ＝１、２、…、ｉ、…、ｎであり、ｉおよびｎは２以上であり、Ａ（ｋ）＜Ａ（ｋ＋１）である、
（ｂ）前記燃料電池の出力電圧ＰＶを検出する工程、
（ｃ）前記出力電圧ＰＶが第１基準値Ｖ１以下であれば、前記燃料電池の運転を停止し、前記設定値Ａ（ｋ）を電流値Ａ（ｉ−１）に設定して、前記燃料電池を起動する工程、
（ｄ）前記工程（ｃ）で前記燃料電池を起動してから第１時間ＴＭ１が経過するまでの第１期間の前記出力電圧ＰＶの平均値ＡＰＶを算出する工程、
（ｅ）前記工程（ｄ）で算出した前記平均値ＡＰＶを前記第１基準値Ｖ１および前記第１基準値Ｖ１よりも大きい第２基準値Ｖ２と比較する工程、および
（ｆ）前記工程（ｅ）の比較結果で前記平均値ＡＰＶが前記第２基準値Ｖ２以上であれば、前記燃料電池の運転を停止し、前記設定値Ａ（ｋ）を前記電流値Ａ（ｉ）に再設定して、前記燃料電池を起動する工程、を具備する燃料電池システムの制御方法に関する。
【０００８】
本発明の他の局面は、
（ａ）１以上のセルを含む燃料電池を、出力電流ＰＩの設定値Ａ（ｋ）を電流値Ａ（ｉ）に設定して起動する工程、ただしｋ＝１、２、…、ｉ、…、ｎであり、ｎは３以上であり、ｉは２以上且つ（ｎ−１）以下であり、Ａ（ｋ）＜Ａ（ｋ＋１）である、
（ｂ）前記燃料電池の出力電圧ＰＶを検出する工程、
（ｃ）前記燃料電池を起動してから第１時間ＴＭ１が経過するまでの第１期間の前記出力電圧ＰＶの平均値ＡＰＶを算出する工程、
（ｄ）前記第１期間が終了してから第２時間ＴＭ２が経過するまでの第２期間、前記設定値Ａ（ｋ）を維持したまま前記燃料電池の運転を継続し、その後、前記燃料電池の運転を停止する工程、
（ｅ）前記工程（ｃ）で算出した前記平均値ＡＰＶを第１基準値Ｖ１および前記第１基準値Ｖ１よりも大きい第２基準値Ｖ２と比較する工程、
（ｆ）前記工程（ｅ）の比較結果で、
前記平均値ＡＰＶが前記第２基準値Ｖ２以上であれば、前記第２期間の終了後に前記設定値Ａ（ｋ）を電流値Ａ（ｉ＋１）に設定し、
前記平均値ＡＰＶが前記第１基準値Ｖ１以下であれば、前記第２期間の終了後に前記設定値Ａ（ｋ）を電流値Ａ（ｉ−１）に設定し、
前記平均値ＡＰＶが前記第１基準値Ｖ１よりも大きく且つ前記第２基準値Ｖ２よりも小さければ、前記第２期間の終了後も前記設定値Ａ（ｋ）を前記電流値Ａ（ｉ）のまま維持する工程、および
（ｇ）前記工程（ｆ）で設定された前記設定値Ａ（ｋ）により、前記工程（ｄ）で運転が停止された前記燃料電池を起動する工程、を具備する燃料電池システムの制御方法に関する。
【０００９】
本発明のさらに他の局面は、
１以上のセルを含む燃料電池と、
前記燃料電池に燃料を供給する燃料供給部と、
前記燃料電池に酸化剤を供給する酸化剤供給部と、
前記燃料電池の出力電圧ＰＩを検出する電流センサと、
前記燃料電池の出力電圧ＰＶを検出する電圧センサと、
前記出力電流ＰＩおよび前記出力電圧ＰＶを調節するように、前記出力電圧ＰＶを変圧して、前記燃料電池の発電電力を出力する変圧部と、
前記燃料供給部、前記酸化剤供給部および前記変圧部を制御する制御部と、を具備し、
前記制御部は、
（ａ）前記燃料電池を、前記出力電流ＰＩの設定値Ａ（ｋ）を電流値Ａ（ｉ）に設定して起動する工程、ただしｋ＝１、２、…、ｉ、…、ｎであり、ｉおよびｎは２以上であり、Ａ（ｋ）＜Ａ（ｋ＋１）であり、
（ｂ）前記燃料電池の前記出力電圧ＰＶを前記電圧センサにより検出する工程、
（ｃ）前記出力電圧ＰＶが第１基準値Ｖ１以下であれば、前記燃料電池の運転を停止し、前記設定値Ａ（ｋ）を電流値Ａ（ｉ−１）に設定して、前記燃料電池を起動する工程、
（ｄ）前記工程（ｃ）で前記燃料電池を起動してから第１時間ＴＭ１が経過するまでの第１期間の前記出力電圧ＰＶの平均値ＡＰＶを算出する工程、
（ｅ）前記工程（ｄ）で算出した前記平均値ＡＰＶを前記第１基準値Ｖ１および前記第１基準値Ｖ１よりも大きい第２基準値Ｖ２と比較する工程、および
（ｆ）前記工程（ｅ）の比較結果で前記平均値ＡＰＶが前記第２基準値Ｖ２以上であれば、前記燃料電池の運転を停止し、前記設定値Ａ（ｋ）を前記電流値Ａ（ｉ）に再設定して、前記燃料電池を起動する工程、を含む処理を行う、燃料電池システムに関する。
【００１０】
本発明のさらに他の局面は、
１以上のセルを含む燃料電池と、
前記燃料電池に燃料を供給する燃料供給部と、
前記燃料電池に酸化剤を供給する酸化剤供給部と、
前記燃料電池の出力電圧ＰＩを検出する電流センサと、
前記燃料電池の出力電圧ＰＶを検出する電圧センサと、
前記出力電流ＰＩおよび前記出力電圧ＰＶを調節するように、前記出力電圧ＰＶを変圧して、前記燃料電池の発電電力を出力する変圧部と、
前記燃料供給部、前記酸化剤供給部および前記変圧部を制御する制御部と、を具備し、
前記制御部は、
（ａ）前記燃料電池を、前記出力電流ＰＩの設定値Ａ（ｋ）を電流値Ａ（ｉ）に設定して起動する工程、ただしｋ＝１、２、…、ｉ、…、ｎであり、ｎは３以上であり、ｉは２以上且つ（ｎ−１）以下であり、Ａ（ｋ）＜Ａ（ｋ＋１）である、
（ｂ）前記燃料電池の前記出力電圧ＰＶを前記電圧センサにより検出する工程、
（ｃ）前記燃料電池を起動してから第１時間ＴＭ１が経過するまでの第１期間の前記出力電圧ＰＶの平均値ＡＰＶを算出する工程、
（ｄ）前記第１期間が終了してから第２時間ＴＭ２が経過するまでの第２期間、前記設定値Ａ（ｋ）を維持したまま前記燃料電池の運転を継続し、その後、前記燃料電池の運転を停止する工程、
（ｅ）前記工程（ｃ）で算出した前記平均値ＡＰＶを第１基準値Ｖ１および前記第１基準値Ｖ１よりも大きい第２基準値Ｖ２と比較する工程、
（ｆ）前記工程（ｅ）の比較結果で、
前記平均値ＡＰＶが前記第２基準値Ｖ２以上であれば、前記第２期間の終了後に前記設定値Ａ（ｋ）を電流値Ａ（ｉ＋１）に設定し、
前記平均値ＡＰＶが前記第１基準値Ｖ１以下であれば、前記第２期間の終了後に前記設定値Ａ（ｋ）を電流値Ａ（ｉ−１）に設定し、
前記平均値ＡＰＶが前記第１基準値Ｖ１よりも大きく且つ前記第２基準値Ｖ２よりも小さければ、前記第２期間の終了後も前記設定値Ａ（ｋ）を前記電流値Ａ（ｉ）のまま維持する工程、および
（ｇ）前記工程（ｆ）で設定された前記設定値Ａ（ｋ）により、前記工程（ｄ）で運転が停止された前記燃料電池を起動する工程、を含む処理を行う、燃料電池システムに関する。
【発明の効果】
【００１１】
本発明によれば、例えば燃料電池が劣化して出力が低下したときに、十分な出力電圧が得られるように劣化状態に応じて出力電流を低下させることで、劣化を促進することなく燃料電池の運転を継続することができる。これにより、燃料電池を長寿命化、ないしは、その寿命を延命することができる。また、燃料電池の出力低下が、流路の目詰まりなどのイレギュラーな原因による場合にも、その原因が解消されて出力が回復されると、一旦低下させた出力電流が元に戻される。これにより、出力電流が燃料電池のその時点の本来の発電能力に応じて適切に設定される。よって、燃料電池の能力を最大限に発揮させて、高効率で燃料電池を運転することができる。
【図面の簡単な説明】
【００１２】
【図１】本発明の一実施形態に係る燃料電池システムの制御方法が適用されるシステムを概略的に示すブロック図である。
【図２】同システムに使用される燃料電池のセルを概略的に示す断面図である。
【図３】同システムおける制御の流れを示すフローチャートである。
【図４】出力電流の設定値テーブルの一例を示すテーブル図である。
【図５】本発明の一実施形態に係る制御の一例のタイムチャートである。
【図６】本発明の一実施形態に係る制御の他の一例のタイムチャートである。
【図７】本発明の一実施形態に係る制御のさらに他の一例のタイムチャートである。
【図８】燃料電池の電圧−電流特性の一例を示すグラフである。
【発明を実施するための形態】
【００１３】
本発明の一形態は、図５に示すように、１以上のセルを含む燃料電池を、出力電流ＰＩの設定値Ａ（ｋ）を電流値Ａ（ｉ）に設定して起動（時刻ｔ０）する工程（ａ）を具備する燃料電池システムの制御方法に関する。ただしｋ＝１、２、…、ｉ、…、ｎであり、ｉおよびｎは２以上であり、Ａ（ｋ）＜Ａ（ｋ＋１）である。
【００１４】
本形態においては、燃料電池の出力電圧ＰＶを検出する工程（ｂ）と、出力電圧ＰＶが第１基準値Ｖ１以下であれば（時刻ｔ１）、燃料電池の運転を停止し、設定値Ａ（ｋ）を電流値Ａ（ｉ−１）に設定して、燃料電池を起動（時刻ｔ２）する工程（ｃ）とが実行される。
【００１５】
さらに、本形態においては、工程（ｃ）で燃料電池を起動してから所定時間（第１時間ＴＭ１）が経過するまでの第１期間の出力電圧ＰＶの平均値ＡＰＶを算出する工程（ｄ）と、工程（ｄ）で算出した平均値ＡＰＶを第１基準値Ｖ１および第１基準値Ｖ１よりも大きい第２基準値Ｖ２と比較する工程（ｅ）とが実行される。そして、工程（ｅ）の比較結果で平均値ＡＰＶが第２基準値Ｖ２以上であれば、燃料電池の運転を停止（時刻ｔ３）し、設定値Ａ（ｋ）を電流値Ａ（ｉ）に再設定して、燃料電池を起動（時刻ｔ４）する工程（ｆ）を実行する。
【００１６】
本形態においては、基本的に、燃料電池の出力電流ＰＩを一定にして燃料電池を運転する。これにより、燃料電池の運転状態を安定化することができ、発電効率を向上させることができる。しかしながら、燃料電池を長時間連続運転すると、燃料電池の出力は低下する傾向がある。これにより、燃料電池の出力電圧ＰＶが低下する。出力電圧ＰＶの低下量が大きくなると、燃料電池の発電効率も低下する。また、出力電圧ＰＶが大きく低下した状態で燃料電池の運転を継続すると、燃料電池の劣化が促進されることも考えられる。
【００１７】
そこで、図５に示すように、出力電圧ＰＶが第１基準値Ｖ１以下になると（時刻ｔ１）、燃料電池の運転を一旦停止する。燃料電池の運転を停止してから所定時間（例えば第３時間ＴＭ３）が経過すると（時刻ｔ２）、運転を再開する。このとき、出力電圧ＰＶの移動平均値（例えば１秒毎に検出した１分間の検出結果の平均値）を第１基準値Ｖ１と比較し、その平均値が第１基準値Ｖ１以下であるときに燃料電池の運転を一旦停止するようにしてもよい。
【００１８】
燃料電池の運転を所定時間だけ停止することで、例えば劣化していない燃料電池であれば、出力を回復することができる（リフレッシュ処理）。このとき、必須ではないが、燃料電池の運転を停止した後、酸化剤流路（空気流路）の目詰まりを解消するための処理（例えば多量の空気を送る）などを行うことができる。
【００１９】
そして、工程（ｃ）で燃料電池の運転を再開するとき、出力電流ＰＩの設定値Ａ（ｋ）（初期値は電流値Ａ（ｉ））は、一段階小さい電流値Ａ（ｉ−１）に変更される。つまり、出力電流ＰＩを前回の運転時よりも一段階小さい一定の電流値に設定して、運転を再開する。これにより、例えば燃料電池の劣化に起因して低下した出力電圧ＰＶを大きくすることができる。よって、低すぎる出力電圧ＰＶで燃料電池を運転することにより劣化が促進されるのを防止することができ、燃料電池を長寿命化することができる。
【００２０】
さらに、本形態では、運転を再開（時刻ｔ２またはｔ４）してから所定時間（第１時間ＴＭ１）が経過するまでの第１期間（ｔ２〜ｔ３、ｔ４〜ｔ５）における出力電圧ＰＶの平均値ＡＰＶが算出され、その平均値ＡＰＶが第１基準値Ｖ１および第１基準値Ｖ１よりも大きい第２基準値Ｖ２（Ｖ２＞Ｖ１）と比較される（工程（ｅ））。
【００２１】
工程（ｅ）の比較結果で平均値ＡＰＶが第２基準値Ｖ２以上であれば、燃料電池の運転を停止する（時刻ｔ３）。そして、燃料電池の運転を停止してから所定時間（例えば上記第３時間ＴＭ３）が経過すると、運転を再開する（時刻ｔ４）。このとき、出力電流ＰＩの設定値Ａ（ｋ）を元の値（電流値Ａ（ｉ））に戻して運転を再開する。これにより、燃料電池の出力の低下が、燃料電池の運転を所定時間停止することで回復するようなイレギュラー、ないしは一時的なものである場合には、出力電流ＰＩの設定値Ａ（ｋ）を元の適正な値に戻すことができる。したがって、燃料電池の能力を最大限に発揮させるように出力電流ＰＩを設定することができる。これにより、燃料電池の最大出力を得ることができ、高効率で発電させることができる。
【００２２】
さらに、工程（ｅ）の比較結果で平均値ＡＰＶが第１基準値Ｖ１よりも大きく且つ第２基準値Ｖ２よりも小さければ、設定値Ａ（ｉ−１）に設定したままで燃料電池の運転を継続（図５の時刻ｔ５）することが好ましい。これにより、燃料電池を最適な出力電圧ＰＶで運転することができる。
【００２３】
また、ｉおよびｎが３以上であり、工程（ｅ）の比較結果で平均値ＡＰＶが第１基準値Ｖ１以下であれば、再び燃料電池の運転を停止し、設定値Ａ（ｋ）を電流値Ａ（ｉ−１）よりもさらに小さい電流値Ａ（ｉ−２）に設定して、燃料電池を起動することが好ましい。本形態では、出力電流ＰＩの設定値として、互いに異なるｎ個（２個以上）の電流値が用意されている（図４参照）。設定値Ａ（ｋ）を３つ以上用意しておくことで、設定値Ａ（ｋ）を小さくする手順を２回以上繰り返し実行することができる。個数ｎは多いほど好ましく、例えば４以上であることが好ましく、５以上であることがさらに好ましい。
【００２４】
数「ｎ」を大きくすることで、燃料電池の劣化状態に応じて出力電流ＰＩをきめ細かに調節することができる。したがって、燃料電池の劣化状態に応じた最適な出力電流ＰＩで燃料電池を運転することができる。このように、設定値として３個以上の電流値を用意しておくことで、燃料電池の劣化の進行度に応じて出力（電流）を低下させていくことができ、燃料電池を長寿命化または延命することができる。また、燃料電池を可能な限り高効率で発電させることもできる。
【００２５】
第１基準値Ｖ１は１セルあたりで０．２５〜０．３７５Ｖ（ボルト）に設定することが好ましく、第２基準値Ｖ２は１セルあたりで０．３５〜０．４５Ｖに設定することが好ましい。第１基準値Ｖ１と第２基準値Ｖ２は、燃料電池の出力を最大にする出力電圧ＰＶを基準に決めることができる。燃料電池が個数「Ｎ」のセル（後述のＭＥＡ）を含む場合には、燃料電池全体に対して、第１基準値Ｖ１は、（０．２５×Ｎ〜０．３７５×Ｎ）Ｖに設定され、第２基準値Ｖ２は、（０．３５×Ｎ〜０．４５×Ｎ）Ｖに設定される。
【００２６】
図８に、劣化していない燃料電池の電圧−電流特性（Ｖ−Ｉ特性）の一例を示す。同図に示すように、燃料電池は、最大出力ＰＷmaxが得られる出力電圧と出力電流（ＭＦＥ、ＭＦＩ）が決まっている。その発電効率も、出力電圧が電圧値ＭＦＥであるときか、その近傍の電圧であるときに最大となるのが一般的である。そして、その傾向は、ある程度劣化した燃料電池においても同様である。したがって、Ｖ１とＶ２を、電圧値ＭＦＥを基準に設定することで、燃料電池の劣化状態によらず容易に最大効率を得ることができる。つまり、Ｖ１とＶ２は、出力電圧ＰＶがＶ１とＶ２の間にあるとき（Ｖ１＜ＰＶ＜Ｖ２）に、燃料電池の発電能力を最大限に発揮させることができるように設定される。
【００２７】
第１基準値Ｖ１と第２基準値Ｖ２の差、Ｖ２−Ｖ１は、１セルあたりで０．１〜０．１２５Ｖであることが好ましい。第１時間ＴＭ１は、燃料電池の出力が長時間の連続運転により低下することの影響を排除できる程度であればよく、かつ運転状態が不安定である起動直後の出力変動の影響を十分に緩和できる程度に長い時間、例えば１〜６０分に設定される。
【００２８】
なお、第１基準値Ｖ１および第２基準値Ｖ２は、上記範囲内の一定の値とすることもできるし、上記範囲内で燃料電池の総稼働時間および／または出力電流ＰＩの設定値に応じて変更することもできる。つまり、燃料電池の劣化状態に応じて、第１基準値Ｖ１および第２基準値Ｖ２を上記範囲内で変えることができる。このとき、劣化が進行しているほど（総稼働時間が長いほど、および／または、出力電流ＰＩの設定値が小さいほど）、第１基準値Ｖ１および第２基準値Ｖ２を小さい値に設定することができる。同様に、後述の第３基準値Ｖ３および第４基準値Ｖ４も、後述の範囲内の一定の値とすることもできるし、その範囲内で燃料電池の総稼働時間および／または出力電流ＰＩの設定値に応じて変更することができる。
【００２９】
上述した通り、工程（ｃ）では、燃料電池をリフレッシュさせるのに十分な第３時間ＴＭ３だけ燃料電池の運転を停止することが好ましい。第３時間ＴＭ３は、１０秒〜５分の範囲内で設定することができる。なお、第３時間ＴＭ３は、出力電圧ＰＶが例えば１セルあたりで０．１８〜０．２２Ｖの第４基準値Ｖ４以下になるような時間に設定することが好ましい。
【００３０】
燃料電池の運転を停止するとき、燃料電池に燃料を供給するポンプ（例えば後述の燃料ポンプ２６）や、燃料電池に酸化剤を供給するポンプ（例えば後述の空気ポンプ２４）を停止する。このとき、燃料電池の出力電圧ＰＶは、燃料電池の運転を停止したときから低下し始める。出力電圧ＰＶが第４基準値Ｖ４以下になるまで燃料や酸化剤の供給を停止することで、劣化していない燃料電池であれば、出力を回復することができる（リフレッシュ処理）。
【００３１】
したがって、第３時間ＴＭ３は、環境温度に応じて、上記範囲内で変えることができる。環境温度が高ければ、残存燃料が速やかに消費されるために、第３時間ＴＭ３を相対的に短い時間に設定することができる。反対に、環境温度が低ければ、残存燃料の消費が緩やかになるので、第３時間ＴＭ３を相対的に長い時間に設定することが好ましい。
【００３２】
また、上述したことから明らかなように、工程（ｃ）で燃料電池の運転を停止する期間を時間により決めるのではなく、出力電圧ＰＶの検出結果に基づいて決めることもできる。つまり、出力電圧ＰＶが第４基準値Ｖ４以下にまで低下したときに、燃料電池の運転を再開するようにしてもよい。なお、燃料電池が個数「Ｎ」のセルを含む場合には、燃料電池全体に対して、第４基準値Ｖ４は、（０．１８×Ｎ〜０．２２×Ｎ）Ｖに設定される。
【００３３】
また、本形態では、燃料電池に対する燃料供給量ＦＱおよび酸化剤供給量ＡＱの少なくとも一方を、出力電流ＰＩの設定値Ａ（ｋ）に応じて設定することが好ましい。出力電流ＰＩは、消費燃料量から燃料のクロスオーバー量を除いた、実際の消費燃料量に応じて増減する。したがって、出力電流ＰＩに応じて燃料供給量ＦＱを設定することで、実際の消費燃料量に対して適切な量の燃料を燃料電池に送ることができる。また、出力電流ＰＩに応じて酸化剤供給量ＡＱを設定することで、実際の消費燃料量に対して適切な量の酸化剤（例えば空気）を燃料電池に送ることができる。
【００３４】
燃料供給量ＦＱや酸化剤供給量ＡＱを無用に大きくすると、燃料ポンプやエアポンプの単位時間当たりの吐出量が無用に増大する。それにより、燃料ポンプやエアポンプの電力消費量が増大する。燃料供給量ＦＱおよび酸化剤供給量ＡＱの少なくとも一方を、出力電流ＰＩに応じて設定することで、燃料ポンプやエアポンプの電力消費量が徒に増大するのを抑制することができ、システム全体の発電効率を向上させることができる。燃料供給量ＦＱおよび酸化剤供給量ＡＱは、好ましくは両方を出力電流ＰＩに応じて設定する。
【００３５】
本発明の他の形態は、図６に示すように、（ａ）１以上のセルを含む燃料電池を、出力電流ＰＩの設定値Ａ（ｋ）を電流値Ａ（ｉ）に設定して起動（時刻ｔ１１）する工程、ただしｋ＝１、２、…、ｉ、…、ｎであり、ｎは３以上であり、ｉは２以上且つ（ｎ−１）以下であり、Ａ（ｋ）＜Ａ（ｋ＋１）である、（ｂ）燃料電池の出力電圧ＰＶを検出する工程、（ｃ）燃料電池を起動してから所定時間（第１時間ＴＭ１）が経過（時刻ｔ１２）するまでの第１期間の出力電圧ＰＶの平均値ＡＰＶを算出する工程、および（ｄ）第１期間が終了してから所定時間（第２時間ＴＭ２）が経過（時刻ｔ１３）するまでの第２期間、設定値Ａ（ｋ）を電流値Ａ（ｉ）に維持したまま燃料電池の運転を継続し、その後、燃料電池の運転を停止する工程と、を具備する。
【００３６】
本形態の制御方法では、さらに、工程（ｃ）で算出した前記平均値ＡＰＶを第１基準値Ｖ１および第１基準値Ｖ１よりも大きい第２基準値Ｖ２と比較する工程（ｅ）を実行する。そして、工程（ｅ）の比較結果で、平均値ＡＰＶが第２基準値Ｖ２以上であれば、第２期間の終了後に設定値Ａ（ｋ）を電流値Ａ（ｉ＋１）に設定し、平均値ＡＰＶが第１基準値Ｖ１以下であれば、第２期間の終了後に設定値Ａ（ｋ）を電流値Ａ（ｉ−１）に設定し、平均値ＡＰＶが第１基準値Ｖ１よりも大きく且つ第２基準値Ｖ２よりも小さければ、第２期間の終了後も設定値Ａ（ｋ）を電流値Ａ（ｉ）のまま維持する工程（ｆ）を実行する。そして、工程（ｆ）で設定された設定値Ａ（ｋ）により、工程（ｄ）で運転が停止された燃料電池を起動（時刻ｔ１４）する工程（ｇ）を実行する。
【００３７】
以上のように、燃料電池の運転を一定期間（第１期間＋第２期間）継続することで、燃料電池を高効率で発電することができる。第１期間に相当する第１時間ＴＭ１は、上述した理由により１〜６０分であることが好ましい。第２期間に相当する第２時間ＴＭ２は、燃料電池の運転を継続することにより得られるメリット（例えば運転状態の安定により良好な発電効率が得られる）が、燃料電池の出力が連続運転により低下することによるデメリット（燃料電池の劣化が促進される、発電効率が極端に低下する）を下回らない範囲内で適宜に設定される。第２時間ＴＭ２は１〜１２０分であることが好ましい。なお、ユーザーの操作によりシステムのメインスイッチがオフにされた場合などには、当然に、第２時間ＴＭ２が経過したか否かにかかわらず、燃料電池の運転は停止される。
【００３８】
また、本実施形態においては、燃料電池を起動した直後の第１期間に検出される出力電圧ＰＶの平均値ＡＰＶに基づいて、次に燃料電池を起動するときの出力電流ＰＩの設定値が決められる。上述したとおり、燃料電池は、連続運転により出力が低下する傾向がある。このため、連続運転により出力が低下していない起動直後の平均的な出力電圧ＰＶに基づいて、次に燃料電池を起動するときの出力電流ＰＩを設定することで、その時点の燃料電池が有する本来の発電能力を十分に発揮させることができるように、最適な出力電流ＰＩで燃料電池を運転することができる。
【００３９】
ここで、工程（ｅ）の比較結果で、平均値ＡＰＶが第２基準値Ｖ２以上であれば（ＡＰＶ≧Ｖ２）、その時点の燃料電池が有する発電能力に対して、出力電流ＰＩが低すぎることになる。このため、出力電流ＰＩの設定値Ａ（ｋ）を一段階大きな電流値Ａ（ｉ＋１）に変更する。これにより、イレギュラーな原因による一時的な出力低下が解消されたような場合には、一旦低下させた設定値Ａ（ｋ）を元に戻すことができる。これにより、燃料電池の出力を燃料電池の本来の能力の範囲で最大にすることができ、高効率で燃料電池を運転することができる。
【００４０】
反対に、図６の時刻ｔ１１〜ｔ１２に示すように、工程（ｅ）の比較結果で、平均値ＡＰＶがＶ１以下であれば（ＡＰＶ≦Ｖ１）、その時点の燃料電池が有する発電能力に対して、出力電流ＰＩが大きすぎることになる。このため、設定値Ａ（ｋ）を一段階小さな電流値Ａ（ｉ−１）に変更し、燃料電池の運転を再開する。
【００４１】
これにより、燃料電池の劣化により出力が低下し、出力電圧ＰＶが低下したときに、出力電圧ＰＶを増大させることができ、燃料電池の劣化が促進されるのを防止することができる。図６に示す例では、時刻ｔ１４〜ｔ１５の第１期間の平均値ＡＰＶもＶ１以下である。このため、次に燃料電池の運転が停止され、その運転が再開されるとき（時刻ｔ１６）の設定値Ａ（ｋ）はさらに小さい電流値（例えばＡ（ｉ−２））に設定されている。このように、設定値の個数（値「ｎ」）を３以上とすることで、燃料電池の劣化状態に応じて、出力電圧ＰＩの設定値をきめ細かに調節することができる。したがって、燃料電池の幅広い劣化状態に対応して、適切に出力電流ＰＩを設定して、劣化が促進されるのを抑えることができる。
【００４２】
そして、工程（ｅ）の比較結果で、平均値ＡＰＶが第１基準値Ｖ１よりも大きく、かつ第２基準値Ｖ２よりも小さければ（Ｖ１＜ＡＰＶ＜Ｖ２）、その時点の燃料電池が有する発電能力に対して、出力電流ＰＩが適切に設定されていることになる。このため、設定値Ａ（ｋ）を電流値Ａ（ｉ）に維持したまま燃料電池を再起動する。
【００４３】
さらに、図７に示すように、本形態には、ｎが４以上であり、ｉが３以上且つ（ｎ−１）以下であるときに、出力電圧ＰＶを第１基準値Ｖ１よりも小さい第３基準値Ｖ３と比較する工程（ｈ）、および工程（ｈ）の比較結果で出力電圧ＰＶが第３基準値Ｖ３以下であるときに（時刻ｔ２１）、燃料電池の運転を停止する工程（ｊ）と、を含ませることができる。
【００４４】
そして、工程（ｊ）で燃料電池の運転を停止したときに、設定値Ａ（ｋ）が電流値Ａ（ｉ＋１）に設定されていれば設定値Ａ（ｋ）を電流値Ａ（ｉ）に設定し、設定値Ａ（ｋ）が電流値Ａ（ｉ）に設定されていれば設定値Ａ（ｋ）を電流値Ａ（ｉ−１）に設定し、設定値Ａ（ｋ）が電流値Ａ（ｉ−１）に設定されていれば設定値Ａ（ｋ）を電流値Ａ（ｉ−２）に設定する工程（ｍ）を実行する。そして、工程（ｍ）で設定された設定値Ａ（ｋ）により燃料電池を起動（時刻ｔ２２）する工程（ｏ）を実行する。
【００４５】
以上の処理によれば、燃料電池の出力が極度に低下した場合には、燃料電池を起動してからの経過時間によらずに燃料電池の運転が即時に停止される。これにより、上記の出力の極度の低下が例えば流路の目詰まりなどの一時的な原因で発生したときには、その原因を速やかに取り除くことで、速やかに、燃料電池が有する本来の能力を発揮できる状態にすることができる。また、発電効率の低下を防止できる。また、出力低下が燃料電池の劣化による場合には、出力電流ＰＩの設定値を速やかに劣化状態に応じた適切な設定値に切り替えることができる。これにより、燃料電池のさらなる劣化を抑えることができる。なお、工程（ｈ）における出力電圧ＰＶの検出結果と第３基準値Ｖ３との比較は、燃料電池の運転状態が不安定な起動直後（例えば起動後の１分間）は行わず、燃料電池の運転状態がある程度安定してから行うことが好ましい。
【００４６】
また、図７に示す例では、燃料電池が再起動された直後の時刻ｔ２２〜ｔ２３の第１期間の平均値ＡＰＶはＶ１〜Ｖ２の値である。このため、次に燃料電池の運転が停止され、その運転が再開されるとき（時刻ｔ２４）の設定値Ａ（ｋ）は電流値Ａ（ｉ−１）のまま維持されている。
【００４７】
ここで、上述した理由により、第１基準値Ｖ１は１セルあたりで０．２５〜０．３７５Ｖであり、第２基準値Ｖ２が１セルあたりで０．３５〜０．４５Ｖであることが好ましい。第３基準値Ｖ３は１セルあたりで０．２〜０．３Ｖであることが好ましい。なお、燃料電池が個数「Ｎ」のセルを含む場合には、燃料電池全体に対して、第３基準値Ｖ３は、（０．２×Ｎ〜０．３×Ｎ）Ｖに設定される。また、本形態においても、上述したように、燃料電池に対する燃料供給量ＦＱおよび酸化剤供給量ＡＱの少なくとも一方を、出力電流ＰＩの設定値に応じて設定することで、システム全体の発電効率を向上させることができる。
【００４８】
本発明の一実施形態の燃料電池システムは、１以上のセルを含む燃料電池と、燃料電池に燃料を供給する燃料供給部と、燃料電池に酸化剤を供給する酸化剤供給部と、燃料電池の出力電圧ＰＩを検出する電流センサと、燃料電池の出力電圧ＰＶを検出する電圧センサと、出力電流ＰＩおよび出力電圧ＰＶを調節するように、出力電圧ＰＶを変圧して、燃料電池の発電電力を出力する変圧部と、燃料供給部、酸化剤供給部および変圧部を制御する制御部と、を具備する。
【００４９】
ここで、制御部は、
（ａ）燃料電池を、出力電流ＰＩの設定値Ａ（ｋ）を電流値Ａ（ｉ）に設定して起動する工程、ただしｋ＝１、２、…、ｉ、…、ｎであり、ｉおよびｎは２以上であり、Ａ（ｋ）＜Ａ（ｋ＋１）である、
（ｂ）燃料電池の出力電圧ＰＶを電圧センサにより検出する工程、
（ｃ）出力電圧ＰＶが第１基準値Ｖ１以下であれば、燃料電池の運転を停止し、設定値Ａ（ｋ）を電流値Ａ（ｉ−１）に設定して、燃料電池を起動する工程、
（ｄ）工程（ｃ）で燃料電池を起動してから第１時間ＴＭ１が経過するまでの第１期間の出力電圧ＰＶの平均値ＡＰＶを算出する工程、
（ｅ）工程（ｄ）で算出した平均値ＡＰＶを第１基準値Ｖ１および第１基準値Ｖ１よりも大きい第２基準値Ｖ２と比較する工程、および
（ｆ）工程（ｅ）の比較結果で平均値ＡＰＶが第２基準値Ｖ２以上であれば、燃料電池の運転を停止し、設定値Ａ（ｋ）を電流値Ａ（ｉ）に再設定して、燃料電池を起動する工程、を含む処理を行う。
【００５０】
本発明の他の実施形態の燃料電池システムは、１以上のセルを含む燃料電池と、燃料電池に燃料を供給する燃料供給部と、燃料電池に酸化剤を供給する酸化剤供給部と、燃料電池の出力電圧ＰＩを検出する電流センサと、燃料電池の出力電圧ＰＶを検出する電圧センサと、出力電流ＰＩおよび出力電圧ＰＶを調節するように、出力電圧ＰＶを変圧して、燃料電池の発電電力を出力する変圧部と、燃料供給部、酸化剤供給部および変圧部を制御する制御部と、を具備する。
【００５１】
ここで、制御部は、
（ａ）燃料電池を、出力電流ＰＩの設定値Ａ（ｋ）を電流値Ａ（ｉ）に設定して起動する工程、ただしｋ＝１、２、…、ｉ、…、ｎであり、ｎは３以上あり、ｉは２以上且つ（ｎ−１）以下であり、Ａ（ｋ）＜Ａ（ｋ＋１）である、
（ｂ）燃料電池の出力電圧ＰＶを電圧センサにより検出する工程、
（ｃ）燃料電池を起動してから第１時間ＴＭ１が経過するまでの第１期間の出力電圧ＰＶの平均値ＡＰＶを算出する工程、
（ｄ）第１期間が終了してから第２時間ＴＭ２が経過するまでの第２期間、設定値Ａ（ｋ）を維持したまま燃料電池の運転を継続し、その後、燃料電池の運転を停止する工程、
（ｅ）工程（ｃ）で算出した平均値ＡＰＶを第１基準値Ｖ１および第１基準値Ｖ１よりも大きい第２基準値Ｖ２と比較する工程、
（ｆ）工程（ｅ）の比較結果で、
平均値ＡＰＶが第２基準値Ｖ２以上であれば、第２期間の終了後に設定値Ａ（ｋ）を電流値Ａ（ｉ＋１）に設定し、
平均値ＡＰＶが第１基準値Ｖ１以下であれば、第２期間の終了後に設定値Ａ（ｋ）を電流値Ａ（ｉ−１）に設定し、
平均値ＡＰＶが第１基準値Ｖ１よりも大きく且つ第２基準値Ｖ２よりも小さければ、第２期間の終了後も設定値Ａ（ｋ）を電流値Ａ（ｉ）のまま維持する工程、および
（ｇ）工程（ｆ）で設定された設定値Ａ（ｋ）により、工程（ｄ）で運転が停止された燃料電池を起動する工程、を含む処理を行う。
【００５２】
以下、本発明の具体的な実施形態について、図面を参照しながら説明する。
（実施形態１）
図１に、本発明の一実施形態に係る燃料電池システムの制御方法が適用される燃料電池システムをブロック図により示す。このシステム２０は、それぞれがカソードとアノードを含む、少なくとも１つのセル（単セル）を有する直接酸化型燃料電池（燃料電池スタック）２２と、カソードに空気を供給する酸化剤ポンプ（空気ポンプ）２４と、アノードに、燃料タンク２５から供給される燃料（メタノール）の水溶液を供給する燃料ポンプ２６と、制御装置２８とを備える。
【００５３】
また、システム２０には、燃料電池２２が発電した電力を蓄電する蓄電装置３０と、アノードから排出されたアノード流体およびカソードから排出されたカソード流体を回収する回収部３２とを含ませることができる。回収部３２により回収された液体は、燃料と混合して、燃料水溶液としてアノードに供給される。蓄電装置３０には、制御弁式鉛蓄電池、ディープサイクルバッテリー、リチウムイオン二次電池、ニッケル水素蓄電地などを好適に使用することができる。
【００５４】
そして、図１の燃料電池システム２０は、さらに、燃料電池２２の出力電圧ＰＶを検出する電圧センサ（ＶＳ）３４と、燃料電池２２の出力電流ＰＩを検出する電流センサ（ＩＳ）３６と、出力電圧ＰＶを変圧比ＰＳで変圧して、燃料電池が発電した電力を蓄電装置３０および外部に出力するＤＣ／ＤＣコンバータ３８とを備える。電圧センサ３４および電流センサ３６の検出結果を示す信号（検出結果信号）は制御装置２８に入力される。制御装置２８は、入力された検出結果信号に基づいて、空気ポンプ２４、燃料ポンプ２６、およびＤＣ／ＤＣコンバータ３８の変圧比ＰＳを制御する。制御装置２８が、変圧比ＰＳを制御することで、出力電圧ＰＶ、出力電流ＰＩ、蓄電装置３０の充電電流、充電電圧などが制御される。
【００５５】
制御装置２８には、マイクロコンピュータなどの情報処理装置を使用することができる。情報処理装置は、演算部、データ格納部、各種インターフェースなどで構成することができる。演算部は、データ格納部に格納されているプログラムにしたがって、燃料電池の運転に必要な演算を行う。演算部は、平均値ＡＰＶの算出などの数値計算を行う計算部と、電圧センサの検出結果などを一時的に記憶する記憶部と、数値の大小関係を比較することで各種判定を行う判定部を含む。また、データ格納部（フラッシュメモリなどの補助記憶装置）には、後述の第１基準値Ｖ１、第２基準値Ｖ２、第３基準値Ｖ３、第４基準値Ｖ４、電流値Ａ（１）〜Ａ（ｎ）、その初期値Ａ（ｉ）、第１時間ＴＭ１、第２時間ＴＭ２、第３時間ＴＭ３、燃料供給量テーブル、および酸化剤供給量テーブルなどのデータを記憶させておくことができる。ただし、ｎおよびｉは整数値をとる定数である。演算部は、本実施形態の制御方法に関する処理を実行するときに、必要に応じて、上記のデータを読み込む。
【００５６】
図２に燃料電池（燃料電池スタック）を構成するセル（単セル）の構造を示す。燃料電池２２は、通常、複数のセル１を有している。第１基準値Ｖ１〜第３基準値Ｖ３は、１つのセル１に対して設定される値であり、燃料電池２２全体に対する各基準値はセル１の個数を乗じた値に換算される。セル１は、アノード２、カソード３、およびアノード２とカソード３との間に介在する電解質膜４を含む膜電極接合体（ＭＥＡ）５に対応している。ＭＥＡ５の一方の側面には、アノード２を封止するようにガスケット１４が配置され、他方の側面には、カソード３を封止するようにガスケット１５が配置されている。
【００５７】
ＭＥＡ５は、アノード側セパレータ１０およびカソード側セパレータ１１に挟持されている。アノード側セパレータ１０は、アノード２に接し、カソード側セパレータ１１は、カソード３に接している。アノード側セパレータ１０は、アノード２に燃料を供給する燃料流路１２を有する。燃料流路１２は、燃料が流入するアノード入口と、反応で生成したＣＯ2や未使用の燃料などを排出するアノード排出口を有する。カソード側セパレータ１１は、カソード３に酸化剤を供給する酸化剤流路１３を有する。酸化剤流路１３は、酸化剤が流入するカソード入口と、反応で生成した水や未使用の酸化剤などを排出するカソード排出口を有する。
【００５８】
図２に示すようなセルを複数個、電気的に直列に積層することで、燃料電池スタックが構成される。この場合、通常はアノード側セパレータ１０とカソード側セパレータ１１は一体のものとして形成される。すなわち、一枚の導電性を有するセパレータの一方の面がアノード側セパレータ、他方の面がカソード側セパレータとなる。各セルのアノード入口は、マニホールドを用いるなどして通常１つに集約される。アノード排出口、カソード入口およびカソード排出口も同様に、それぞれ集約される。
【００５９】
燃料電池の停止中にアノード２へ酸素が侵入することがないように、燃料電池システムにおけるアノード側空間、すなわち燃料ポンプ２６からアノードを経由して回収部内の液体に至るまでの空間は、密閉空間となっている。ＭＥＡ５のアノード２は、アノード入口とアノード排出口以外が外部と連通しないように、ガスケット１４で封止されている。アノード側セパレータ１０およびカソード側セパレータ１１とそれぞれ接触するように集電板１６および１７が配置される。集電板１６および１７とそれぞれ接触するように端板１８を配置することで、積層された複数のセル１を締結することができる。
【００６０】
カソード３は、電解質膜４に接するカソード触媒層８およびカソード側セパレータ１１に接するカソード拡散層９を含む。カソード拡散層９は、例えば、カソード触媒層８に接する導電性撥水層と、カソード側セパレータ１１に接する基材層とを含む。
【００６１】
カソード触媒層８は、カソード触媒と高分子電解質を含む。カソード触媒としては、触媒活性の高いＰｔなどの貴金属が好ましい。カソード触媒は、そのまま用いてもよいし、担体に担持した形態で用いてもよい。担体としては、電子伝導性および耐酸性の高さから、カーボンブラックなどの炭素材料を用いることが好ましい。高分子電解質としては、プロトン伝導性を有するパーフルオロスルホン酸系高分子材料、炭化水素系高分子材料などを用いることが好ましい。パーフルオロスルホン酸系高分子材料としては、例えば、Ｎａｆｉｏｎ（登録商標）などを用いることができる。
【００６２】
アノード２は、電解質膜４に接するアノード触媒層６およびアノード側セパレータ１０に接するアノード拡散層７を含む。アノード拡散層７は、例えば、アノード触媒層６に接する導電性撥水層と、アノード側セパレータ１０に接する基材層とを含む。
【００６３】
アノード触媒層６は、アノード触媒と高分子電解質を含む。アノード触媒としては、一酸化炭素による触媒の被毒を低減する観点から、ＰｔとＲｕとの合金触媒が好ましい。アノード触媒は、そのまま用いてもよいし、担体に担持した形態で用いてもよい。担体としては、カソード触媒を担持する担体と同様の炭素材料を用いることができる。アノード触媒層６に含まれる高分子電解質としては、カソード触媒層８に用いられる材料と同様の材料を用いることができる。
【００６４】
アノード拡散層７およびカソード拡散層９に含まれる導電性撥水層は、導電剤と撥水剤を含む。導電性撥水層に含まれる導電剤としては、カーボンブラックなど、燃料電池の分野で常用される材料を特に限定することなく用いることができる。導電性撥水層に含まれる撥水剤は、ポリテトラフルオロエチレン（ＰＴＦＥ）など、燃料電池の分野で常用される材料を特に限定することなく用いることができる。
【００６５】
基材層としては、導電性の多孔質材料が用いられる。導電性の多孔質材料としては、カーボンペーパー、カーボンクロスなど、燃料電池の分野で常用される材料を特に限定することなく用いることができる。これらの多孔質材料は、燃料の拡散性および生成水の排出性などを向上させるために、撥水剤を含んでいてもよい。撥水剤は、導電性撥水層に含まれる撥水剤と同様の材料を用いることができる。
【００６６】
電解質膜４としては、例えば、従来から用いられているプロトン伝導性高分子膜を特に限定なく使用できる。具体的には、パーフルオロスルホン酸系高分子膜、炭化水素系高分子膜などを好ましく使用できる。パーフルオロスルホン酸系高分子膜としては、例えば、Ｎａｆｉｏｎ（登録商標）などが挙げられる。
【００６７】
次に、本実施形態の燃料電池システムの制御方法について、フローチャートを参照して説明する。図３に、本実施形態の制御方法のフローチャートを示す。
本方法においては、（ａ）１以上のセルを含む燃料電池を、出力電流ＰＩの設定値Ａ（ｋ）を電流値Ａ（ｉ）に設定して起動する工程、ただしｋ＝１、２、…、ｉ、…、ｎであり、ｎは３以上であり、ｉは２以上且つ（ｎ−１）以下であり、Ａ（ｋ）＜Ａ（ｋ＋１）である、（ｂ）前記燃料電池の出力電圧ＰＶを検出する工程、（ｃ）前記燃料電池を起動してから所定時間（第１時間ＴＭ１）が経過するまでの第１期間の前記出力電圧ＰＶの平均値ＡＰＶを算出する工程、（ｄ）前記第１期間が終了してから所定時間（第２時間ＴＭ２）が経過するまでの第２期間、前記設定値Ａ（ｋ）を維持したまま前記燃料電池の運転を継続し、その後、前記燃料電池の運転を停止する工程、（ｅ）前記工程（ｃ）で算出した前記平均値ＡＰＶを第１基準値Ｖ１および前記第１基準値Ｖ１よりも大きい第２基準値Ｖ２と比較する工程、（ｆ）前記工程（ｅ）の比較結果で、前記平均値ＡＰＶが前記第２基準値Ｖ２以上であれば、前記第２期間の終了後に前記設定値Ａ（ｋ）を電流値Ａ（ｉ＋１）に設定し、前記平均値ＡＰＶが前記第１基準値Ｖ１以下であれば、前記第２期間の終了後に前記設定値Ａ（ｋ）を電流値Ａ（ｉ−１）に設定し、前記平均値ＡＰＶが前記第１基準値Ｖ１よりも大きく且つ前記第２基準値Ｖ２よりも小さければ、前記第２期間の終了後も前記設定値Ａ（ｋ）を前記電流値Ａ（ｉ）のまま維持する工程、および（ｇ）前記工程（ｆ）で設定された前記設定値Ａ（ｋ）により、前記工程（ｄ）で運転が停止された前記燃料電池を起動する工程、が実行される。
【００６８】
本方法においては、さらに、ｎが４以上であり、ｉが３以上且つ（ｎ−１）以下であるときに、（ｈ）前記出力電圧ＰＶを前記第１基準値Ｖ１よりも小さい第３基準値Ｖ３と比較する工程と、（ｊ）前記工程（ｈ）の比較結果で前記出力電圧ＰＶが前記第３基準値Ｖ３以下であるときに前記燃料電池の運転を停止する工程と、（ｍ）前記工程（ｊ）で前記燃料電池の運転を停止したときに、前記設定値Ａ（ｋ）が前記電流値Ａ（ｉ＋１）に設定されていれば前記設定値Ａ（ｋ）を前記電流値Ａ（ｉ）に設定し、前記設定値Ａ（ｋ）が前記電流値Ａ（ｉ）に設定されていれば前記設定値Ａ（ｋ）を前記電流値Ａ（ｉ−１）に設定し、前記設定値Ａ（ｋ）が前記電流値Ａ（ｉ−１）に設定されていれば前記設定値Ａ（ｋ）を電流値Ａ（ｉ−２）に設定する工程と、（ｏ）前記工程（ｍ）で設定された前記設定値Ａ（ｋ）により前記燃料電池を起動する工程と、が実行される。
【００６９】
図４に、制御装置のデータ格納部に格納される設定値テーブルの一例を示す。図示例の設定値テーブル４０には、出力電流ＰＩの設定値Ａ（ｋ）として使用する具体的な電流値Ａ（１）〜Ａ（ｎ）（単位はアンペア）が格納されている。ここで、数「ｎ」は、２以上の整数である。つまり、図示例の設定値テーブル４０には、少なくとも２個の電流値が格納されている。ただし、以下の説明では、例えば数「ｎ」が「７」であり、設定値Ａ（ｋ）として、Ａ（１）〜Ａ（７）の７個の電流値が用意されているものとして説明する。また、設定値Ａ（ｋ）の初期値を電流値Ａ（ｉ）で表すとき、ｉ＝４とする。また、燃料供給量ＦＱおよび酸化剤供給量ＡＱについても、ＦＱ（１）〜ＦＱ（ｎ）およびＡＱ（１）〜ＡＱ（ｎ）を規定する同様のテーブルを格納部に格納することができる。
【００７０】
図３に示すように、例えばシステムのメインスイッチがオンにされ、システムが稼動を開始すると、出力電流ＰＩを設定値Ａ（ｋ）に設定して、燃料電池２２が起動される（ＳＴ１）。システムの稼動開始時は、変数ｋに初期値ｉ（＝４）が代入される。したがって、出力電流ＰＩの設定値Ａ（ｋ）が電流値Ａ（ｉ）（＝Ａ（４））に設定され、燃料電池２２が起動される（ＳＴ１）。これにより、一定の出力電流ＰＩで燃料電池２２の発電が開始される。このとき、例えば燃料供給量ＦＱはＦＱ（ｋ）（＝ＦＱ（４））に設定され、酸化剤供給量ＡＱはＡＱ（ｋ）（＝ＡＱ（４））に設定される。
【００７１】
燃料電池２２が発電を開始すると、電圧センサにより出力電圧ＰＶを検出する（ＳＴ２）。次に、出力電圧ＰＶの検出結果（以下、単にＰＶ値という）が第３基準値Ｖ３よりも大きいかを判定する（ＳＴ３）。ＰＶ値が第３基準値Ｖ３以下であれば（ＳＴ３でＮｏ）、直ちに燃料電池の運転を停止する（ＳＴ８）。
【００７２】
一方、ＰＶ値が第３基準値Ｖ３よりも大きければ（ＳＴ３でＹｅｓ）、燃料電池２２を起動してから第１期間に対応する第１時間ＴＭ１が経過したかを判定する（ＳＴ４）。第１時間ＴＭ１が経過していなければ（ＳＴ４でＮｏ）、そのときのＰＶ値を記憶部に記憶させ（ＳＴ４）、ＳＴ２に戻る。以下、ＳＴ２〜ＳＴ５の手順を例えば１秒間隔で繰り返す。これにより、第１期間に１秒毎に検出されたＰＶ値が記憶部に記憶される。
【００７３】
燃料電池２２を起動してから第１時間ＴＭ１が経過すると、ＳＴ６に進み、第１時間ＴＭ１が経過するまでに記憶部に記憶された全てのＰＶ値の平均値ＡＰＶを算出する（ＳＴ６）。ただし、平均値ＡＰＶの算出は、この時点に限らず、ＳＴ９以前であれば、例えば後述のＳＴ８で燃料電池の運転を停止した後に実行することもできる。
【００７４】
次に、第１期間が終了してから、第２期間に対応する第２時間ＴＭ２が経過したかを判定する（ＳＴ７）。第２時間ＴＭ２が経過していなければ（ＳＴ７でＮｏ）、ＳＴ２に戻り、以下、ＳＴ２、ＳＴ３、ＳＴ７の手順を、第２時間ＴＭ２が経過するまで繰り返し実行する。これにより、第２期間、燃料電池２２の運転が継続される。このとき、ＳＴ４、ＳＴ５、ＳＴ６の各手順は実質的にスキップされる。第１期間が終了してから第２時間ＴＭ２が経過すると、ＳＴ８に進み、燃料電池２２の運転を停止する。
【００７５】
次に、ＳＴ６で求めた平均値ＡＰＶが第１基準値Ｖ１以下であるかを判定する（ＳＴ９）。ここで、平均値ＡＰＶが第１基準値Ｖ１以下であれば（ＳＴ９でＹｅｓ、ＡＰＶ≦Ｖ１）、変数「ｋ」に代入されている値（初期値は「４」）を「１」だけ小さくする（ＳＴ１０）。これにより、出力電流ＰＩが一段階小さい設定値（Ａ（ｉ−１）＝Ａ（３））に設定される。
【００７６】
そして、出力電流ＰＩの設定値の変更に応じて、燃料供給量ＦＱおよび酸化剤供給量ＡＱを変更し（ＳＴ１１）、燃料電池の運転を停止した後、上記第３時間ＴＭ３が経過すれば（ＳＴ１２でＹｅｓ）、ＳＴ１に戻る。このとき、燃料供給量ＦＱは例えば一段階小さな供給量（例えばＦＱ（３））に変更され、酸化剤供給量ＡＱは例えば一段階小さな供給量（例えばＡＱ（３））に変更される。以上の処理により、ＳＴ１では、出力電流ＰＩの設定値Ａ（ｋ）、燃料供給量ＦＱおよび酸化剤供給量ＡＱが一段階小さくされて、燃料電池の運転が再開される。ＳＴ１２では、第３時間ＴＭ３が経過したか否かを判定することに代えて、ＰＶ値が第４基準値Ｖ４以下であるか否かを判定し、ＰＶ値が第４基準値Ｖ４以下であるときにＳＴ１に戻るようにすることもできる。
【００７７】
出力電圧ＰＶが第３基準値Ｖ３以下である場合（ＳＴ３でＮｏ）にも、ＳＴ８で燃料電池２２の運転を停止した後、ＳＴ１０で出力電流ＰＩの設定値が一段階小さくされる。そして、その設定値の変更に応じて、燃料供給量ＦＱおよび酸化剤供給量ＡＱが変更され（ＳＴ１１）、第３時間ＴＭ３の経過後にＳＴ１に戻る。このとき、ＳＴ９の手順は実質的にスキップされる。
【００７８】
また、平均値ＡＰＶが第１基準値よりも大きければ（ＳＴ９でＮｏ）、平均値ＡＰＶが第２基準値Ｖ２以上であるかを判定する（ＳＴ１３）。ここで、平均値ＡＰＶが第２基準値Ｖ２以上であれば（ＳＴ１３でＹｅｓ、ＡＰＶ≧Ｖ２）、変数「ｋ」に代入されている値（初期値は「４」）を「１」だけ大きくする（ＳＴ１４）。これにより、出力電流ＰＩが一段階大きい設定値（Ａ（ｉ＋１）＝Ａ（５））に設定される。
【００７９】
そして、出力電流ＰＩの設定値の変更に応じて、燃料供給量ＦＱおよび酸化剤供給量ＡＱを変更し（ＳＴ１１）、第３時間ＴＭ３の経過後にＳＴ１に戻る。このとき、燃料供給量ＦＱは例えば一段階大きい供給量ＦＱ（５）に変更され、酸化剤供給量ＡＱは例えば一段階大きい供給量ＡＱ（５）に変更される。以上の処理により、ＳＴ１では、出力電流ＰＩの設定値Ａ（ｋ）、燃料供給量ＦＱおよび酸化剤供給量ＡＱが一段階大きくされて、燃料電池の運転が再開される。
【００８０】
また、平均値ＡＰＶが第１基準値Ｖ１よりも大きく、かつ第２基準値Ｖ２よりも小さければ（ＳＴ１３でＮｏ）、出力電流ＰＩの設定値Ａ（ｋ）、燃料供給量ＦＱおよび酸化剤供給量ＡＱの変更は行わず、第３時間ＴＭ３の経過後に、そのままＳＴ１に戻る。これにより、ＳＴ１では、従前の出力電流ＰＩの設定値Ａ（ｋ）（＝Ａ（ｉ）＝Ａ（４））、燃料供給量ＦＱおよび酸化剤供給量ＡＱを維持したままで、燃料電池の運転が再開される。
【００８１】
なお、変数ｋの初期値ｉ（ｉは定数）は固定値である必要はなく、システムのメインスイッチがオフにされたときの変数ｋの値を記憶しておき、次にメインスイッチがオンにされたときには、その記憶値を初期値ｉとして使用することができる。例えばシステムのメインスイッチがオフにされたときの変数ｋの値が「３」であれば、次にメインスイッチがオンにされたときには、変数ｋの初期値ｉを「３」とし、設定値Ａ（ｋ）を電流値Ａ（３）に設定して、システムの稼動を開始することができる。これにより、燃料電池の劣化状態に応じた適切な出力電流ＰＩの設定値でシステムの稼動を開始することができる。
【００８２】
以上のように、本実施形態の制御方法によれば、燃料電池の運転を一定期間（第１期間＋第２期間）継続することで、燃料電池を高効率で発電することができる。また、燃料電池を起動した直後の第１期間に検出される出力電圧ＰＶの平均値ＡＰＶに基づいて、次に燃料電池を起動するときの出力電流ＰＩの設定値が決められる。これにより、連続運転により出力が低下していない起動直後の平均的な出力電圧に基づいて、次に燃料電池を起動するときの出力電流ＰＩを設定することができる。したがって、燃料電池が有する本来の発電能力を十分に発揮させることができるように、最適な出力電流ＰＩで燃料電池を運転することができる。
【００８３】
また、燃料電池の出力が極度に低下した場合には、燃料電池の運転を即時に停止することができる。これにより、上記の出力の極度の低下が例えば流路の目詰まりなどの一時的な原因で発生したときには、その原因を速やかに取り除くことで、速やかに、燃料電池が有する本来の能力を発揮できる状態にすることができる。また、発電効率の低下を防止できる。また、出力低下が燃料電池の劣化による場合には、出力電流ＰＩの設定値を速やかに劣化状態に応じた適切な設定値に切り替えることができる。これにより、燃料電池のさらなる劣化を抑えることができる。
【００８４】
そして、出力電流ＰＩの設定値に応じて燃料供給量ＦＱおよび酸化剤供給量ＡＱを変更することで、燃料ポンプなどの補機類の消費電力を抑えることができ、システム全体の発電効率を向上させることができる。
【産業上の利用可能性】
【００８５】
本発明によれば、燃料電池を長寿命化することで、システムの使用可能期間を長期化することができる。よって、長期にわたって優れた発電特性を維持でき、安定した性能を維持できる燃料電池システムを提供することができる。本発明は、アウトドア・アクティビティに使用されるような中型の電源に適用するのに非常に有用である。
【符号の説明】
【００８６】
１…セル、２…アノード、３…カソード、４…電解質膜、５…ＭＥＡ、６…アノード触媒層、７…アノード拡散層、８…カソード触媒層、９…カソード拡散層、１０…アノード側セパレータ、１１…カソード側セパレータ、１２…燃料流路、１３…酸化剤流路、１４…ガスケット、１５…ガスケット、１６…集電板、１８…端板、２０…燃料電池システム、２２…燃料電池、２４…空気ポンプ、２５…燃料タンク、２６…燃料ポンプ、２８…制御装置、３０…蓄電装置、３２…回収部、３４…電圧センサ、３６…電流センサ、３８…ＤＣコンバータ、４０…設定値テーブル
【図１】
2015204156.tif 000003
【図２】
2015204156.tif 000004
【図３】
2015204156.tif 000005
【図４】
2015204156.tif 000006
【図５】
2015204156.tif 000007
【図６】
2015204156.tif 000008
【図７】
2015204156.tif 000009
【図８】
2015204156.tif 000010